(57)【要約】【課題】携帯端末装置の機能を駆使してブログの記事を簡易に作成できるブログ作成システムを提供する。【解決手段】携帯端末装置の使用記録を時系列で記憶するメモリ１０６と、使用記録の概要および使用時のユーザの感情を分析するデータ分析部２０１と、使用記録およびデータ分析部２０１による分析結果に基づいて、ブログを自動的に作成するブログ作成部２０２と、を備える。【選択図】図２
2008242762.tif 000002
【特許請求の範囲】
【請求項１】
自装置の使用記録を時系列で記憶する記憶部と、
前記使用記録の概要および使用時のユーザの感情を分析する分析部と、
前記使用記録および前記分析部による分析結果に基づいて、ブログの記事を自動的に作成する作成部と、を備える携帯端末装置。
【請求項２】
請求項１に記載の携帯端末装置において、
自装置の位置情報を取得する位置情報取得部と、
前記位置情報取得部が取得した前記位置情報を時系列で行動記録として前記記憶部に記録する行動記録部と、を含む携帯端末装置。
【請求項３】
請求項２に記載の携帯端末装置において、
撮像部と、
前記撮像部で撮像された画像データと前記位置情報取得部が取得した前記位置情報とを対応付けて時系列で前記撮像部の使用記録として前記記憶部に記録する画像データ記録部と、をさらに含む携帯端末装置。
【請求項４】
請求項１乃至３いずれかに記載の携帯端末装置において、
所定の相手と通話する通話部と、
前記通話部での通話音声を取得し、前記通話音声のトーンおよびリズムに基づき感情を認識する通話感情認識部と、
通話の前記相手と前記通話音声の通話内容と前記通話感情認識部が認識した前記感情とを時刻と対応付けて通話記録として前記記憶部に記録する通話記録部と、をさらに含む携帯端末装置。
【請求項５】
請求項１乃至４いずれかに記載の携帯端末装置において、
メールの送受信を行うメール処理部と、
前記メール処理部でのメール本文の内容を読み取り、感情を認識するメール感情認識部と、
メール送受信相手と前記メール本文の内容と前記メール感情認識部が認識した前記感情とを時刻と対応付けてメール送受信記録として前記記憶部に記録するメール記録部と、をさらに含む携帯端末装置。
【請求項６】
請求項１乃至５いずれかに記載の携帯端末装置において、
電子マネー機能部と、
前記電子マネー機能部での電子マネー使用記録を前記記憶部に時系列で記憶する電子マネー記録部と、をさらに含む携帯端末装置。
【請求項７】
請求項１乃至６いずれかに記載の携帯端末装置において、
前記使用記録および前記分析結果の中からブログに使用する情報の選択を受け付ける受付部をさらに備え、
前記作成部は選択された前記使用記録および前記分析結果に基づいて、前記ブログの前記記事を作成する携帯端末装置。
【請求項８】
請求項１乃至７いずれかに記載の携帯端末装置を用いてブログを作成するブログ作成システムであって、
前記携帯端末装置から前記ブログの記事をネットワークを介して受信する記事受信部と、
前記受信した記事を記憶する記事記憶部と、
前記記事記憶部に記憶された前記記事をネットワークを介して他の端末に公開する記事公開部と、を備えるブログ作成システム。
【請求項９】
請求項８に記載のブログ作成システムにおいて、
前記ネットワーク上の端末から情報提供要求を受け付ける要求受付部と、
前記情報提供要求を前記ネットワーク上の端末に配信する要求配信部と、をさらに備え、
前記携帯端末装置は、
前記使用記録および前記分析結果の中から前記ネットワークを介して他の端末に公開可能な情報の選択を受け付ける公開情報受付部と、
前記情報提供要求を前記ネットワークを介して受信する要求受信部と、
前記情報提供要求された情報が前記公開可能な情報と一致するか否かを判定する判定部と、
前記判定部が前記一致すると判定した情報があった場合、公開可能な前記使用記録および前記分析結果を前記情報提供要求した前記端末に公開する情報公開部と、を含むブログ作成システム。
【請求項１０】
請求項９に記載のブログ作成システムにおいて、
前記携帯端末装置は、他の端末が配信した前記使用記録および前記分析結果を前記ネットワークを介して受信する記録受信部をさらに含み、
前記携帯端末装置の前記作成部は、前記受信した前記使用記録及び前記分析結果に基づいて、前記ブログの前記記事を作成するブログ作成システム。
【発明の詳細な説明】
【技術分野】
【０００１】
本発明は、携帯端末装置およびブログ作成システムに関し、特に、ブログ作成を行う携帯端末装置およびブログ作成システムに関する。
【背景技術】
【０００２】
近年、インターネットブログが普及し、携帯電話機などの携帯端末装置からブログを作成するユーザが増加している。携帯電話機は高機能化が進み、今や、通話だけなく、メール送受信機能、ＧＰＳ（Global Positioning System）機能、非接触ＩＣカード搭載による電子マネー機能、カメラによる撮影機能など様々な機能が備わっている。カメラで撮影した画像データをアップロードして、記事を作成することも簡単に行えるようになっている。この種の技術として、特許文献１記載のものがある。
【特許文献１】特開２００６−２４０１９号公報
【特許文献２】特開２００３−９１５２９号公報
【特許文献３】特開２００６−３０１８８４号公報
【発明の開示】
【発明が解決しようとする課題】
【０００３】
しかしながら、携帯電話機の高機能化に伴い、取得可能な情報量が膨大になり、整理が困難であったり、いざブログを作成しようと思うと何を書いて良いか分からなくなってしまう場面に直面することも多かった。
【０００４】
本発明は上記事情に鑑みてなされたものであり、その目的とするところは、携帯端末装置の機能を駆使してブログの記事を簡易に作成できるブログ作成システムを提供することにある。
【課題を解決するための手段】
【０００５】
本発明によれば、自装置の使用記録を時系列で記憶する記憶部と、
前記使用記録の概要および使用時のユーザの感情を分析する分析部と、
前記使用記録および前記分析部による分析結果に基づいて、ブログの記事を自動的に作成する作成部と、を備える携帯端末装置が提供される。
【０００６】
この発明によれば、携帯端末装置の使用記録を保存し、記録を分析してブログの記事を自動作成することができる。これにより、携帯端末装置の機能を駆使してブログの記事を簡易に作成できる。このようにして、普段の何気ない行動を振り返るきっかけとなり、また新たなコミュニケーションツールとして注目されているブログを気軽に利用することができるようになる。
【０００７】
上記携帯端末装置において、自装置の位置情報を取得する位置情報取得部と、前記位置情報取得部が取得した前記位置情報を時系列で行動記録として前記記憶部に記録する行動記録部と、を含むことができる。
【０００８】
上記携帯端末装置において、撮像部と、前記撮像部で撮像された画像データと前記位置情報取得部が取得した前記位置情報とを対応付けて時系列で前記撮像部の使用記録として前記記憶部に記録する画像データ記録部と、をさらに含むことができる。
【０００９】
上記携帯端末装置において、所定の相手と通話する通話部と、前記通話部での通話音声を取得し、前記通話音声のトーンおよびリズムに基づき感情を認識する通話感情認識部と、通話の前記相手と前記通話音声の通話内容と前記通話感情認識部が認識した前記感情とを時刻と対応付けて通話記録として前記記憶部に記録する通話記録部と、をさらに含むことができる。
【００１０】
上記携帯端末装置において、メールの送受信を行うメール処理部と、前記メール処理部でのメール本文の内容を読み取り、感情を認識するメール感情認識部と、メール送受信相手と前記メール本文の内容と前記メール感情認識部が認識した前記感情とを時刻と対応付けてメール送受信記録として前記記憶部に記録するメール記録部と、をさらに含むことができる。
【００１１】
上記携帯端末装置において、電子マネー機能部と、前記電子マネー機能部での電子マネー使用記録を前記記憶部に時系列で記憶する電子マネー記録部と、をさらに含むことができる。
【００１２】
上記携帯端末装置において、前記使用記録および前記分析結果の中からブログに使用する情報の選択を受け付ける受付部をさらに備えることができ、前記作成部は選択された前記使用記録および前記分析結果に基づいて、前記ブログの前記記事を作成することができる。
【００１３】
本発明によれば、上記携帯端末装置を用いてブログを作成するブログ作成システムであって、
前記携帯端末装置から前記ブログの記事をネットワークを介して受信する記事受信部と、
前記受信した記事を記憶する記事記憶部と、
前記記事記憶部に記憶された前記記事をネットワークを介して他の端末に公開する記事公開部と、を備えるブログ作成システムが提供される。
【００１４】
上記ブログ作成システムにおいて、前記ネットワーク上の端末から情報提供要求を受け付ける要求受付部と、前記情報提供要求を前記ネットワーク上の端末に配信する要求配信部と、をさらに備え、前記携帯端末装置は、前記使用記録および前記分析結果の中から前記ネットワークを介して他の端末に公開可能な情報の選択を受け付ける公開情報受付部と、前記情報提供要求を前記ネットワークを介して受信する要求受信部と、前記情報提供要求された情報が前記公開可能な情報と一致するか否かを判定する判定部と、前記判定部が前記一致すると判定した情報があった場合、公開可能な前記使用記録および前記分析結果を前記情報提供要求した前記端末に公開する情報公開部と、を含むことができる。
【００１５】
上記ブログ作成システムにおいて、前記携帯端末装置は、他の端末が配信した前記使用記録および前記分析結果を前記ネットワークを介して受信する記録受信部をさらに含むことができ、前記携帯端末装置の前記作成部は、前記受信した前記使用記録及び前記分析結果に基づいて、前記ブログの前記記事を作成することができる。
【００１６】
なお、以上の構成要素の任意の組合せ、本発明の表現を方法、装置、システム、記録媒体、コンピュータプログラムなどの間で変換したものもまた、本発明の態様として有効である。
【発明の効果】
【００１７】
本発明によれば、携帯端末装置の機能を駆使してブログの記事を簡易に作成できるブログ作成システムが提供される。
【発明を実施するための最良の形態】
【００１８】
以下、本発明の実施の形態について、図面を用いて説明する。尚、すべての図面において、同様な構成要素には同様の符号を付し、適宜説明を省略する。
【００１９】
図１は、本発明の実施の形態に係るブログ作成システムの構成を示す概略ブロック図である。本実施形態のブログ作成システムは、ブログサーバ１０と、ネットワーク１０９を介して接続される携帯端末装置１００とを備えている。ネットワーク１０９は、インターネットなどのネットワークである。携帯端末装置１００は、基地局（不図示）を介してブログサーバ１０に接続し、携帯端末装置１００で作成したブログをブログサーバ１０にアップロードし、保存または公開することができる。本実施形態において、携帯端末装置１００は、携帯電話機、ＰＤＡ（Personal Digital Assistants）などである。なお、以下の各図において、本発明の本質に関わらない部分の構成については省略してある。
【００２０】
ブログサーバ１０は、携帯端末装置１００からブログの記事をネットワーク１０９を介して受信する記事受信部（不図示）と、受信した記事を記憶する記事記憶部（不図示）と、記事記憶部に記憶された記事をネットワーク１０９を介して他の端末（不図示）に公開する記事公開部（不図示）と、を備える。
【００２１】
また、ブログ作成システムの各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２２】
詳細には、携帯端末装置１００は、アンテナ１０１と、無線部１０２と、制御部１０３と、表示部１０４と、カメラ１０５と、メモリ１０６と、非接触型ＩＣ１０７と、ＧＰＳ１０８と、操作部１１０と、を含む。
【００２３】
無線部１０２は、アンテナ１０１を介して基地局に接続し、携帯電話網（不図示）に接続して他の端末と通話を行ったり、インターネットなどのネットワーク１０９に接続し、メール送受信やウェブサイトへの接コンテンツのダウンロードおよびアップロードを行う。
【００２４】
制御部１０３は、ＣＰＵ（Central Processing Unit）であり、携帯端末装置１００の各要素とともに装置全体を制御する。表示部１０４は、液晶ディスプレイ、有機ＥＬ（ElectroLuminescence）ディスプレイなどであり、携帯端末装置１００の操作状態の表示や情報提供をする。カメラ１０５は、静止画像または動画像を撮像し、記録する。メモリ１０６は、携帯端末装置１００を動作および制御するプログラムおよびデータを記憶するとともに、制御部１０３がプログラムを実行する際の作業領域を含む。また、メモリ１０６は、各種外部記録媒体を含むこともできる。メモリ１０６は、アドレス帳、カメラ１０５にて撮像された画像データ、送受信メール、テキストデータ、文書ファイルデータ、楽曲データなど各種データを含むことができる。
【００２５】
非接触型ＩＣ１０７は、無線通信を行い、電子マネーやクレジット決済を行う。ＧＰＳ１０８は、携帯端末装置１００の位置情報を取得する。操作部１１０は、携帯端末装置１００の筐体に設けられた各種操作キー、スイッチを含み、ユーザの操作を受け付ける。
【００２６】
図２は、本実施形態の携帯端末装置１００の制御部１０３の詳細を示す機能ブロック図である。本実施形態の携帯端末装置１００は、自装置の使用記録を時系列で記憶する記憶部（メモリ１０６）と、使用記録の概要および使用時のユーザの感情を分析する分析部（データ分析部２０１）と、使用記録および分析部による分析結果に基づいて、ブログを自動的に作成する作成部（ブログ作成部２０２）と、を備える。
【００２７】
具体的には、制御部１０３は、地図データ分析部２１１、通話分析部２１３、メール分析部２１５、カメラ分析部２１７、および非接触型ＩＣ分析部２１９を含むデータ分析部２０１と、ブログ作成部２０２と、を備える。
【００２８】
データ分析部２０１は、ブログを作成するのに使用する各種データを収集し、メモリ１０６に記憶する。具体的には、地図データ分析部２１１は、図１のＧＰＳ１０８が所定の間隔で取得した１日の位置情報を時系列で行動記録としてメモリ１０６に記憶する。ＧＰＳ１０８が位置情報を取得するタイミングは、所定の間隔でもよいし、ユーザが指定した時でもよい。あるいは、ＧＰＳ１０８は、特定のランドマーク、たとえば、各種施設や駅などに移動した時に自動的に位置情報を取得してもよい。
【００２９】
本実施形態の携帯端末装置１００は、所定の相手と通話する通話部（図１の無線部１０２、制御部１０３）を含み、通話分析部２１３は、通話部での通話音声を取得し、通話音声のトーンおよびリズムに基づき感情を認識する通話感情認識部（不図示）を含む。感情認識は、感性制御技術という手法を用いて行うことができる。なお、この手法については、発明の本質に関わらないので、詳細な説明は省略する。なお、通話音声はメモリ１０６に一旦録音しておき、通話終了後、分析を行う。通話分析部２１３は、通話の相手、たとえば、電話番号からアドレス帳を検索し取得した相手名と通話音声の通話内容の概要と、通話感情認識部が認識した感情とを時刻と対応付けて通話記録としてメモリ１０６に記憶する。
【００３０】
携帯端末装置１００は、メールの送受信を行うメール処理部（図１の無線部１０２、制御部１０３）を含み、メール分析部２１５は、メール処理部で送受信されたメール本文の内容を読み取り、感情を認識するメール感情認識部（不図示）を含む。メール分析部２１５は、メール送受信相手、たとえばメールアドレスからアドレス帳を検索し取得した相手名とメール本文の内容の概要とメール感情認識部が認識した感情とを時刻と対応付けてメール記録としてメモリ１０６に記憶する。
【００３１】
カメラ分析部２１７は、図１のカメラ１０５で撮影された画像データと図１のＧＰＳ１０８が取得した位置情報とを対応付けて時系列でカメラ１０５の使用記録として撮影記録をメモリ１０６に記憶する。さらに、カメラ分析部２１７は、図１のカメラ１０５で撮影された画像データに人物が写っているか否か画像認識を行う画像認識部（不図示）と、人物が写っていると認識された場合、アドレス帳の個人データの添付画像と一致するか否かを判断する判断部（不図示）と、を含む。そして、カメラ分析部２１７は、一致する画像があった場合、その人物の情報をさらに撮影記録に付加する。
【００３２】
非接触型ＩＣ分析部２１９は、図１の非接触型ＩＣ１０７での電子マネー使用記録をおこづかい帳として時系列でメモリ１０６に記憶する。おこづかい帳３２１は、たとえば、購入した商品の品目や金額、時間データ、購入したショップ名を含むことができる。
【００３３】
このように構成された本実施形態の携帯端末装置１００のブログ作成時の動作について、以下に説明する。図３は、メモリ１０６に記録された自装置の使用記録の分析結果一覧３０１の表示例を示す図である。図４は、本実施形態の携帯端末装置１００のブログ作成時の動作の一例を示すフローチャートである。以下、図１乃至図４を用いて説明する。
【００３４】
まず、ユーザが、ブログ作成のために、ブログツールを起動する（ステップＳ４０１）。ブログツールとは、ブログの記事を編集するためのプログラムであり、携帯端末装置１００のメモリ１０６に予め記憶されているプログラムを起動させる。
【００３５】
そして、ブログツールが起動すると、図２のデータ分析部２０１がブログ作成に使用するデータを、当日あるいは指定された日の分、取得する（ステップＳ４０２）。詳細には、図２のデータ分析部２０１の地図データ分析部２１１は、メモリ１０６から図３の一日の行動記録３１９を取得する。図２のデータ分析部２０１の通話分析部２１３は、通話音声のトーンおよびリズムに基づき、感情を認識し、通話の相手と通話音声の通話内容の概要と通話時の感情とを時刻と対応付けて通話記録としてメモリ１０６に記録する。
【００３６】
図２のデータ分析部２０１のメール分析部２１５は、送受信されたメール本文の内容を読み取り、感情を認識し、メール送受信相手とメール本文の内容の概要と感情とを時刻と対応付けてメール記録としてメモリ１０６に記録する。
【００３７】
図２のデータ分析部２０１のカメラ分析部２１７は、撮影された画像データと位置情報とを対応付けて時系列で撮影記録としてメモリ１０６に記録する。また、カメラ分析部２１７は、人物の画像認識処理を行い、人物が写っている場合、その人物の情報も撮影記録に記録する。図２のデータ分析部２０１の非接触型ＩＣ分析部２１９は、電子マネーの使用記録をおこづかい帳としてメモリ１０６に記録する。
【００３８】
このようにして分析された使用記録は、図３の分析結果一覧３０１として表示部に一覧表示される（ステップＳ４０３）。ここで、撮影記録３１３、通話記録３１５、メール記録３１７などのように、時間軸を重視するデータは時間軸ごとに通話・メール・カメラの使用記録領域３０３に並べて記録する。各情報を選択すると、さらに詳細に、撮影記録３１３、通話記録３１５、メール記録３１７を参照することができる。また、行動記録３１９やおこづかい帳３２１などは、それぞれ個別にＧＰＳ１０８による移動の場所の記録領域３０５および非接触型ＩＣ１０７による電子マネー使用記録領域３０７に各記録ごとに時間軸で並べて記録する。これらも、各情報を選択すると、さらに詳細に、行動記録３１９およびおこづかい帳３２１を参照することができる。
【００３９】
このように一覧表示を参照して、ユーザは一日の行動やそのときの状況を振り返ることができる。ブログ作成のために、分析結果一覧３０１からブログに書きたい項目を選択するとともに、その日のテーマを操作部１１０を用いて表示部１０４の画面上で入力する。図２のブログ作成部２０２は、選択された項目とテーマを受け付ける（ステップＳ４０４）。テーマとは、たとえば、記事のタイトルおよびカテゴリの選択を含む。タイトルは任意に入力可能であり、カテゴリは予めユーザが設定した複数の項目の中から選択することができる。
【００４０】
そして、ブログ作成部２０２は、選択された項目の分析結果と、テーマに基づいて、ブログの記事を作成する（ステップＳ４０５）。たとえば、公園に遊びに行き、たくさん写真を撮影したような場合、ブログ作成部２０２は、ユーザが選択した撮影記録３１３と、入力されたテーマ「公園におでかけ」、カテゴリ「おでかけ」を受け付け、撮影記録３１３から撮影場所と人物情報を取得し、さらに時刻情報から、「お昼にハト公園でＡちゃんと一緒に遊んだよ。」などの文章を作成し、撮影画像データを並べるとともに、記事を作成する。
【００４１】
あるいは、友達と電話で喧嘩をしてしまったような場合、ブログ作成部２０２は、ユーザが選択した通話記録３１５やメール記録３１７と、入力されたテーマ「仲直り」、カテゴリ「ともだち」を受け付け、通話記録３１５やメール記録３１７から概要を読み出し、「アイツこんなこと言ってたんだよ。頭にきちゃう！！でも最後には仲直りできたけどね♪」という文章を作成し、記事を作成する。
【００４２】
さらに、ブログ作成部２０２は、前日のブログデータを参照し、前日の内容とカテゴリが一致し、更新されている情報があれば、情報の更新内容も記事に盛り込んで作成する（ステップＳ４０６）。たとえば、１ヶ月でどれだけ倹約できるかという内容で記事を書いている場合、カテゴリ「倹約生活」として、おこづかい帳３２１のデータに基づいて、記事を作成することができる。ブログ作成部２０２は、指定されたおこづかい帳３２１のデータを記事に書き込み、さらに前日までの使用金額を比較し、その結果を記事にすることができる。たとえば、いつもより使った金額が高ければ、「今日は使い過ぎちゃった。反省。」という記事を作成したり、いつもより倹約できた場合であれば、「今日は倹約できたよ〜♪この調子でがんばろう〜！」という記事を作成したりすることができる。
【００４３】
さらに、ブログ作成部２０２は、過去の記事や送信メール本文の文章表現を参照し、分析して文章表現を統一する（ステップＳ４０７）。これらはたとえば、文章のゆれを検出する校正ツールなどを用いることができる。これらの手法については、発明の本質に関わらないので詳細な説明は省略する。さらに、ブログ作成部２０２は、通話記録３１５やメール記録３１７で分析された感情を参照し、感情に応じて文章表現を変更して、記事に反映する。感情に応じた表現も、過去の記事の文章表現を参考にすることができる。
【００４４】
このようにして作成された記事をブログ作成部２０２は、表示部１０４に表示させ、ユーザに確認を促す。ユーザは必要に応じて、操作部１１０を用いて記事を編集することもできる。そして、ブログ作成部２０２は、ユーザからのアップロード指示を受け付け、記事をブログサーバ１０にアップロードする（ステップＳ４０８）。アップロードされた記事は、ブログサーバ１０に保存され、さらにユーザからの公開または非公開の指示に基づいて、公開または非公開となる。
【００４５】
以上説明したように、本実施形態のブログ作成システムによれば、携帯端末装置１００の使用記録を保存し、記録を分析してブログの記事を自動作成することができる。これにより、携帯端末装置の機能を駆使してブログの記事を簡易に作成できる。このようにして、普段の何気ない行動を振り返るきっかけとなり、また新たなコミュニケーションツールとして注目されているブログを気軽に利用することができるようになる。
【００４６】
以上、図面を参照して本発明の実施形態について述べたが、これらは本発明の例示であり、上記以外の様々な構成を採用することもできる。
【００４７】
たとえば、他の実施形態のブログ作成システムにおいて、ブログサーバ１０は、ネットワーク１０９上の端末から情報提供要求を受け付ける要求受付部（不図示）と、情報提供要求をネットワーク１０９上の端末に配信する要求配信部（不図示）と、をさらに備えることができる。また、携帯端末装置１００は、使用記録および分析結果の中からネットワーク１０９を介して他の端末に公開可能な情報の選択を受け付ける公開情報受付部（操作部１１０、制御部１０３）と、情報提供要求をネットワーク１０９を介して受信する要求受信部（無線部１０２、制御部１０３）と、情報提供要求された情報が公開可能な情報と一致するか否かを判定する判定部（制御部１０３）と、判定部が一致すると判定した情報があった場合、公開可能な使用記録および分析結果を情報提供要求した端末に公開する情報公開部（無線部１０２、制御部１０３）と、を含むことができる。
【００４８】
さらに、携帯端末装置１００は、他の端末が配信した使用記録および分析結果をネットワーク１０９を介して受信する記録受信部（メモリ１０６）をさらに含むことができ、携帯端末装置１００の作成部（ブログ作成部２０２）は、受信した使用記録及び分析結果に基づいて、ブログの記事を作成することができる。
【００４９】
このように構成された本実施形態のブログ作成システムの情報公開動作について、以下に説明する。図５は、本実施形態のブログ作成システムの情報公開動作の一例を示すフローチャートである。
【００５０】
はじめに、携帯端末装置１００では、ユーザが、図３の分析結果一覧３０１の中から公開可能な情報を操作部１１０を用いて選択する。公開情報受付部は、選択された公開可能な情報を受け付ける。
【００５１】
そして、ネットワーク１０９上で、あるユーザが所望の情報をブログサーバ１０に登録する。ブログサーバ１０において、要求受付部は、登録された情報を受け付け、要求配信部が、ネットワーク１０９上の端末に情報提供要求を配信する（ステップＳ５０１）。携帯端末装置１００では、要求受信部が情報提供要求をネットワーク１０９を介して受信し、図２のデータ分析部２０１が受信した情報提供要求を分析し、情報提供要求された情報が図２のメモリ１０６に保存されているか否か確認する（ステップＳ５０２）。そして判定部が情報提供要求された情報が予め選択されていた公開可能な情報と一致するか否かを判定する。そして、判定部が一致すると判定した情報があった場合（ステップＳ５０３のＹＥＳかつステップＳ５０４のＹＥＳ）、情報公開部が公開可能な使用記録および分析結果をメモリ１０６から読み出して、情報提供要求した端末にネットワーク１０９を介してブログサーバ１０にアップロードする（ステップＳ５０５）。そして、ブログサーバ１０では、携帯端末装置１００からアップロードされた公開可能な情報を情報提供要求した端末にネットワーク１０９を介して公開する。
【００５２】
このようにして、他の端末に情報を公開することができ、また他の端末では、これらの情報を使用して、さらにブログを作成することが可能となる。
【図面の簡単な説明】
【００５３】
【図１】本発明の実施の形態に係るブログ作成システムの構成を示す概略ブロック図である。
【図２】図１の携帯端末装置の制御部の詳細を示す機能ブロック図である。
【図３】図１の携帯端末装置のメモリに記録された使用記録の分析結果一覧の表示例を示す図である。
【図４】図１の携帯端末装置のブログ作成時の動作の一例を示すフローチャートである。
【図５】本発明の実施の形態に係るブログ作成システムの情報公開動作の一例を示すフローチャートである。
【符号の説明】
【００５４】
１０  ブログサーバ
１００  携帯端末装置
１０１  アンテナ
１０２  無線部
１０３  制御部
１０４  表示部
１０５  カメラ
１０６  メモリ
１０７  非接触型ＩＣ
１０８  ＧＰＳ
１０９  ネットワーク
１１０  操作部
２０１  データ分析部
２０２  ブログ作成部
２１１  地図データ分析部
２１３  通話分析部
２１５  メール分析部
２１７  カメラ分析部
２１９  非接触型ＩＣ分析部
３０１  分析結果一覧
３０３  通話・メール・カメラの使用記録領域
３０５  ＧＰＳによる移動の場所の記録領域
３０７  非接触型ＩＣによる電子マネー使用記録領域
３１３  撮影記録
３１５  通話記録
３１７  メール記録
３１９  行動記録
３２１  おこづかい帳
【図１】
2008242762.tif 000003
【図２】
2008242762.tif 000004
【図３】
2008242762.tif 000005
【図４】
2008242762.tif 000006
【図５】
2008242762.tif 000007